(57)【要約】【課題】  簡単な操作で画面を部分的に鮮明に拡大することができる表示装置を提供すること。【解決手段】  携帯電話機１の画面１０Ａの平面形状に対応する形状に形成されている座標検出手段２０と、座標検出手段２０によって検出されたｘ値、ｙ値、および導電体の座標検出手段２０に対する近接方向であるＺ方向の座標位置をあらわすｚ値に基づいて、導電体が座標検出手段２０に近接し、導電体の近接位置が座標検出手段２０上において連続して移動し、近接位置の軌跡が交差することを検出して、軌跡によって囲まれた選択枠の内部に対応する画面１０Ａの情報を拡大して表示する制御手段を有する。【選択図】      図６
2006338488.tif 000002
【特許請求の範囲】
【請求項１】
本体に形成されており情報を表示する画面を有する表示装置であって、
前記画面が形成されていない部位の前記本体内に埋設されており前記画面の平面形状に対応する形状に形成されている座標検出手段と、
前記座標検出手段によって検出された平面上のＸ方向の座標位置をあらわすｘ値、Ｙ方向の座標位置をあらわすｙ値、および導電体の前記座標検出手段に対する近接方向であるＺ方向の座標位置をあらわすｚ値に基づいて、前記導電体が前記座標検出手段に近接し、前記導電体の近接位置が前記座標検出手段上において連続して移動し、前記近接位置の軌跡が交差することを検出して、前記軌跡によって囲まれた選択枠の内部に対応する前記画面の情報を拡大して表示する制御手段とを有することを特徴とする表示装置。
【請求項２】
前記制御手段は、前記座標検出手段によって検出された前記軌跡のｘ値およびｙ値に対応する線を、前記画面に表示することを特徴とする請求項１に記載の表示装置。
【請求項３】
前記本体に、前記表示装置に情報を入力するための操作キーを前記座標検出手段と平面形状において重複するように設け、
前記制御手段は、前記情報を拡大する機能をオン・オフする切り換え部を有することを特徴とする請求項１または請求項２に記載の表示装置。
【発明の詳細な説明】
【技術分野】
【０００１】
本発明は、表示装置に係り、特に、携帯電話機やナビゲーション装置、ＰＤＡ（Personal Digital Assistant）などの表示装置において画面中の特定の部位の情報を拡大表示することのできる表示装置に関する。
【背景技術】
【０００２】
近年、携帯電話機においては、画面の大きさに対して表示する情報量が膨大になりつつ
ある。したがって、画面に表示される文字の大きさを小さくして画面中に一度に表示される情報量を増大するようにしている。このため、視力弱者や高齢者にとっては画面に表示される情報を読み取りにくくなっている。
【０００３】
携帯電話機が受信した情報を携帯電話機に接続された携帯電話機の画面に比してはるかに大きな寸法とされている画面拡大表示部に表示するもの（例えば、特許文献１参照）や、樹脂製のレンズを彎曲させて携帯電話機の画面の上方に位置するように固定するもの（例えば、特許文献２参照）があった。
【０００４】
【特許文献１】特開２００２−１６４９６８号公報
【特許文献２】特開２００３−１７９６７７号公報
【発明の開示】
【発明が解決しようとする課題】
【０００５】
しかしながら、前述した特許文献１に記載のものにおいては、携帯電話機とは別の画面拡大表示部を用意して携帯電話機に接続しなければならないため、コスト高になるし、操作も煩雑であった。
【０００６】
また、前述した特許文献２に記載のものは、樹脂製のレンズを彎曲させて携帯電話機の画面の上方に固定するようになっているが、携帯電話機の画面を鮮明に拡大させることはできなかった。
【０００７】
そこで、本発明は、簡単な操作で画面を部分的に鮮明に拡大することができる携帯電話機やナビゲーション装置その他の表示装置を提供することを目的とするものである。
【課題を解決するための手段】
【０００８】
前記目的を達成するため、本発明に係る表示装置の特徴は、本体に形成されており情報を表示する画面を有する表示装置であって、前記画面が形成されていない部位の前記本体内に埋設されており前記画面の平面形状に対応する形状に形成されている座標検出手段と、前記座標検出手段によって検出された平面上のＸ方向の座標位置をあらわすｘ値、Ｙ方向の座標位置をあらわすｙ値、および導電体の前記座標検出手段に対する近接方向であるＺ方向の座標位置をあらわすｚ値に基づいて、前記導電体が前記座標検出手段に近接し、前記導電体の近接位置が前記座標検出手段上において連続して移動し、前記近接位置の軌跡が交差することを検出して、前記軌跡によって囲まれた選択枠の内部に対応する前記画面の情報を拡大して表示する制御手段とを有する点にある。
【０００９】
この本発明に係る表示装置によれば、画面に表示されている情報のうち拡大したい部位に対応する座標検出手段に導電体をかざし、この導電体により画面の情報における拡大したい部位に対応する部分を囲むことにより、制御手段は、座標検出手段から所定の範囲内のｚ値が検出された位置のｘ値、ｙ値を入力して導電体の連続移動による軌跡の監視、および軌跡の交差を監視することができる。これにより、制御手段は、軌跡により囲まれた選択枠の内部に対応する画面の情報を拡大して表示することができる。
【００１０】
また、本発明に係る他の表示装置の特徴は、前記制御手段が、前記座標検出手段によって検出された前記軌跡のｘ値およびｙ値に対応する線を、前記画面に表示する点にある。
【００１１】
この本発明に係る他の表示装置によれば、導電体が座標検出手段上において所定範囲内のｚ値をもって連続して移動していることが検出されると、座標検出手段によって検出された導電体の軌跡のｘ値およびｙ値に対応した線が画面に表示される。これにより、導電体の移動位置を画面において確認しながら、拡大したい範囲に導電体を移動させることができるので、容易に拡大したい範囲を選択することができる。
【００１２】
さらに、本発明に係る他の表示装置の特徴は、前記本体に、前記表示装置に情報を入力するための操作キーを前記座標検出手段と平面形状において重複するように設け、前記制御手段は、前記情報を拡大する機能をオン・オフする切り換え部を有する点にある。
【００１３】
この本発明に係る他の表示装置によれば、切り替え部により本体における情報拡大機能のオン・オフを行うことにより、本体に、平面形状において重複して情報拡大機能および各操作キーを押圧して情報を入力する情報入力機能を兼用させることができ、これにより、表示装置の小型化を図ることができる。
【発明の効果】
【００１４】
以上述べたように、本発明に係る各表示装置によれば、画面に表示されている情報のうち拡大したい部位に対応する座標検出手段に導電体をかざし、この導電体により画面の情報における拡大したい部位に対応する部分を囲むという簡単な動作により、希望する部分の画面の情報を迅速かつ容易に拡大して表示することができる。
【発明を実施するための最良の形態】
【００１５】
まず、本発明の表示装置の実施形態としての携帯電話機の概略について説明する。
【００１６】
図１は、携帯電話機１０の本体９における操作部１１を主に示した概念図であり、図１に示すように操作部１１には一般的なキー配列からなる複数の操作キー１２が配列されている。図２に示すように、前記操作部１１は、上部ケース１１Ａと下部ケース１１Ｂとが一体的に組み合わされて構成されている。前記上部ケース１１Ａには複数の開口１１ａ、１１ａ…が形成されており、前記操作キー１２の表面であるキートップ１２ａがこれらの開口１１ａを介して外部に露出されている。前記キートップ１２ａには、文字、記号あるいは図形などが印刷されている。
【００１７】
前記各操作キー１２は、透明または半透明な樹脂により形成されており、フープ部（図示せず）を介して一体的に連結されたキーマットとして形成され、下部ケース１１Ｂ側（下方）に弾性変形可能な状態とされている。各操作キー１２の背面には、円柱形状からなるステム１２ｂが一体に突出形成されており、各ステム１２ｂは下方に延在している。
【００１８】
前記下部ケース１１Ｂには回路基板１３が固定されており、この回路基板１３には、複数の電子部品１５と光源１４とが設けられている。前記操作キー１２は、前記ステム１２ｂの先端が各電子部品１５に対向するように配置されている。
【００１９】
前記電子部品１５は、例えばドーム形状からなる金属製の反転板と接触電極とを有している。前記反転板の基端部は回路基板１３に設けられたリング状の電極に固定されており、反転板の内面が接触電極に対向している。そして、前記反転板が反転し、反転板の内面が前記接触電極に接触することにより、前記接触電極とリング状電極とが導通されるスイッチ構造となっている。また、前記光源１４はＬＥＤなどにより構成されており、この光源１４は、前記電子部品１５の周囲に設けられている。
【００２０】
図２に示すように、前記操作部１１の内部には座標検出手段２０が設けられており、この座標検出手段２０は接着剤１６を介して前記キーマットの下面に固定されている。なお、この座標検出手段２０は、前記携帯電話機１０の長方形をなす画面１０Ａの形状に対応するように全体を長方形に形成されている。
【００２１】
前記座標検出手段２０は可撓性に優れたフィルム状の基材シート２１を有しており、前記基材シート２１は、誘電体で形成されているものが好ましい。
【００２２】
図３に示すように、基材シート２１の一方の面には、Ｙ方向に延在するとともにＸ方向へ所定の間隔を隔てて配置された複数のＸ検出電極１ｘ、２ｘ、３ｘ、４ｘ、５ｘ、６ｘと、同じくＹ方向に延在するとともにＸ方向へ所定の間隔を隔て、かつ前記個々のＸ検出電極の間に配置された複数のコモン電極１ｋ、２ｋ、３ｋ、４ｋ、５ｋとが互いに接触しないように配線されている。前記各コモン電極１ｋ、２ｋ、３ｋ、４ｋ、５ｋは一端部で１本に接続されており、コモン電極Ｋとして基材シート２１の外部に引き出されている。
【００２３】
また、基材シート２１の他方の面には、Ｘ方向に延在するとともにＹ方向へ所定の間隔を隔てて配置された複数のＹ検出電極１ｙ、２ｙ、３ｙ、４ｙ、５ｙ、６ｙ、７ｙ、８ｙが設けられている。
【００２４】
前記基材シート２１の一方に設けられた複数のＸ検出電極１ｘ、２ｘ、３ｘ、４ｘ、５ｘ、６ｘと、他方に設けられた複数のＹ検出電極１ｙ、２ｙ、３ｙ、４ｙ、５ｙ、６ｙ、７ｙ、８ｙとは、前記基材シート２１の両面において互いに垂直に交差するように配置されている。
【００２５】
前記コモン電極１ｋ、２ｋ、３ｋ、４ｋ、５ｋには、Ｘ方向の両側に向かって所定の長さ寸法で直線状に延在する複数のコモン枝電極２２が形成されている。個々の前記コモン枝電極２２は、Ｙ方向に一定の間隔を隔てて前記各コモン電極１ｋ、２ｋ、３ｋ、４ｋ、５ｋに交差するように設けられており、両端に位置するコモン枝電極２２の先端は基本的に前記Ｘ検出電極１ｘ、２ｘ、３ｘ、４ｘ、５ｘ、６ｘに交差する寸前の位置まで延在している。
【００２６】
個々のＸ検出電極１ｘ、２ｘ、３ｘ、４ｘ、５ｘ、６ｘには、Ｘ方向の両側に平行に延在する複数の第１の補助電極２３が形成されている。前記第１の補助電極２３は、基本的には一対の平行電極２３ａ、２３ｂにより形成されており、Ｙ方向に一定の間隔を隔てるとともに前記Ｘ検出電極１ｘ、２ｘ、３ｘ、４ｘ、５ｘ、６ｘに交差するように配置されている。そして、前記第１の補助電極２３を形成する一方の平行電極２３ａと他方の平行電極２３ｂ間には前記コモン枝電極２２の先端部が挿入されており、前記コモン枝電極２２の先端部が前記平行電極２３ａ、２３ｂに対して部分的に対向するように配置されている。
【００２７】
また、個々のＹ検出電極１ｙ、２ｙ、３ｙ、４ｙ、５ｙ、６ｙ、７ｙ、８ｙには、Ｙ方向の両側に平行に延在する第２の補助電極２４が形成されている。前記第２の補助電極２４も、基本的には一対の平行電極２４ａ、２４ｂにより形成されており、Ｘ方向に一定の間隔を隔てて前記Ｙ検出電極１ｙ、２ｙ、３ｙ、４ｙ、５ｙ、６ｙ、７ｙ、８ｙに交差するように配置されている。前記コモン電極１ｋ、２ｋ、３ｋ、４ｋ、５ｋは、一対の平行電極２４ａ、２４ｂとの間を通るように配置されている。
【００２８】
また、前記基材シート２１には、前記ステム１２ｂを通過させるための孔２１ａや、光源１４が発した光を操作キー１２の背面に導く通路として機能する孔２１ｂが形成されている。このため、前記コモン電極、コモン枝電極２２、Ｘ検出電極およびＹ検出電極を、前記基材シート２１上に直線的に形成することができず、前記孔２１ａを避けた半円弧形状の迂回路２６が部分的に形成されている。
【００２９】
このような座標検出手段２０においては、図４に示すように、複数のコモン電極１ｋ、２ｋ、３ｋ、４ｋ、５ｋのうちのいずれか１つを基準コモン電極（本実施形態においてはコモン電極３ｋを基準コモン電極とする）とすると、基準コモン電極３ｋと隣位する各Ｘ検出電極３ｘ、４ｘとの間は、それぞれ静電容量Ｃ１、Ｃ２で結合された状態にある。このため、図示しない発振手段などを用いて前記基準コモン電極３ｋに対してパルス状の電圧Ｖinを印加すると、前記Ｘ検出電極３ｘには静電容量Ｃ１を通して前記電圧Ｖinが印加され、同じくＸ検出電極４ｘには静電容量Ｃ２を通して前記電圧Ｖinが印加される。
【００３０】
この状態から、前記基準コモン電極上に指など接地状態にある導電体を接触または近接させると、前記基準コモン電極３ｋと前記Ｘ検出電極３ｘ、４ｘ間に生じている誘電束の一部が前記導電体側に引き抜かれるため、前記静電容量Ｃ１、Ｃ２が減少させられる。このため、前記Ｘ検出電極３ｘ、４ｘからは前記静電容量Ｃ１、Ｃ２の変化に応じた検出電圧Ｖoutが出力される。前記検出電圧Ｖoutは、導電体とＸ検出電極との距離が近いほど小さな電圧値として出力される。すなわち、Ｘ検出電極３ｘ、４ｘから出力される電圧値が最も小さく、それ以外のＸ検出電極１ｘ、２ｘ、５ｘから出力される電圧値は大きいままである。このため、Ｘ検出電極１ｘ、２ｘ、３ｘ、４ｘ、５ｘ、６ｘの電圧値を、一定の周期で順次検出することにより、座標検出手段２０は、導電体のＸ方向の座標位置を決定することが可能となっている。
【００３１】
また、このような座標検出手段２０は、Ｘ方向に一列に並ぶ１組のコモン枝電極２２が全部で７組形成されており、前記Ｙ方向に所定のピッチで並ぶ７組のコモン枝電極２２と、その間に設けられた前記Ｙ検出電極１ｙ、２ｙ、３ｙ、４ｙ、５ｙ、６ｙ、７ｙ、８ｙとは互いに対向している。
【００３２】
前記７組のコモン枝電極２２のうちの１組を基準コモン電極とすると、前記基準コモン電極とＹ方向に隣接する２つのＹ検出電極との間にも前記同様の静電容量がそれぞれ形成されている。よって、Ｘ検出電極の場合と同様に、コモン電極Ｋ側に所定周期のパルス電圧Ｖinを与えるとともに、前記Ｙ検出電極１ｙ、２ｙ、３ｙ、４ｙ、５ｙ、６ｙ、７ｙ、８ｙから出力される検出電圧Ｖoutを所定の周期で順次検出することにより、座標検出手段２０は、導電体が近接した位置のＹ方向の座標を決定することが可能である。
【００３３】
続いて、前記Ｘ検出電極１ｘ、２ｘ、３ｘ、４ｘ、５ｘ、６ｘに形成された複数の第１の補助電極２３、およびＹ検出電極１ｙ、２ｙ、３ｙ、４ｙ、５ｙ、６ｙ、７ｙ、８ｙに形成された複数の第２の補助電極２４の動作について説明する。
【００３４】
ここで、図５に示すように、複数のコモン電極１ｋ、２ｋ、３ｋ、４ｋ、５ｋのうちのいずれか１つを基準コモン電極ＢＫとし、この基準コモン電極ＢＫに隣接する一方の側（例えば図５において右側）に位置するＸ検出電極を第１の検出電極ＸＲ、他方（図５において左側）に位置するＸ検出電極を第２の検出電極ＸＬとして説明する。なお、前記第１の検出電極ＸＲおよび第２の検出電極ＸＬは、前記Ｘ検出電極１ｘ、２ｘ、３ｘ、４ｘ、５ｘ、６ｘのうち隣接するいずれか２つである。
【００３５】
また、前記基準コモン電極ＢＫから延在するコモン枝電極２２の先端が、前記第１の検出電極ＸＲから延在する第１の補助電極２３ａ、２３ｂ間に対向配置される箇所を、第１の容量調整部２５Ａ、同様に前記基準コモン電極ＢＫからＸ２方向に延在するコモン枝電極２２の先端が、前記第２の検出電極ＸＬから延在する第２の補助電極２３ａ、２３ｂ間に対向配置される箇所を第２の容量調整部２５Ｂとする。
【００３６】
第１の補助電極および第２の補助電極における前記平行電極２３ａ、２３ｂとコモン枝電極２２とが対向する部分の長さ寸法（対向長さ寸法）をＬ、前記平行電極２３ａ、２３ｂとコモン枝電極２２との電極間距離をｄ、基材シート２１の誘電率をεとし、各電極のＺ方向の膜厚寸法をδ（図示せず）すると、第１の容量調整部２５Ａにおける静電容量ＣＡは以下の式（数１）の値となる。
【００３７】
【数１】
2006338488.tif 000003
【００３８】
同様に、第２の容量調整部２５Ｂにおける静電容量ＣＢは以下の式（数２）で表わせる。
【００３９】
【数２】
2006338488.tif 000004
【００４０】
前記誘電率ε、各電極の膜厚寸法δは一定値とみなすことができるため、結果として前記静電容量ＣＡ、ＣＢはともに電極間の対向長さ寸法Ｌに比例する。
【００４１】
そして、このような第１の容量調整部２５Ａ、第２の容量調整部２５Ｂは、１つの基準コモン電極ＢＫの左右両側に複数（図３においてはそれぞれ７箇所だが、ここではｎ箇所とする）設けられている。また、元から前記基準コモン電極ＢＫと第１の検出電極ＸＲ間に存在している静電容量をＣ１、元から前記基準コモン電極ＢＫと第２の検出電極ＸＬ間に存在する静電容量をＣ２とすると、前記基準コモン電極ＢＫと第１の検出電極ＸＲの間には、前記静電容量Ｃ１と前記ｎ箇所の第１の容量調整部２５Ａに形成される前記静電容量ＣＡとが並列接続された状態で存在するのと等価であるため、この間の合成容量ＣＲはＣＲ＝Ｃ１＋ｎ・ＣＡである。同様に、前記基準コモン電極ＢＫと第２の検出電極ＸＬの間には、前記静電容量Ｃ２とｎ箇所の第２の容量調整部２５Ｂに形成される前記静電容量ＣＢとが並列接続された状態で存在するのと等価であるため、この間の合成容量ＣＬはＣＬ＝Ｃ２＋ｎ・ＣＢである。
【００４２】
ここで、コモン電極１ｋ、２ｋ、３ｋ、４ｋ、５ｋに所定の電圧Ｖinを印加して、前記Ｘ検出電極１ｘ、２ｘ、３ｘ、４ｘ、５ｘ、６ｘから検出電圧Ｖoutを取得する場合、１つのＸ検出電極には、その両側に位置する２つのコモン電極から電圧Ｖinが与えられる。例えば、Ｘ検出電極２ｘから電圧を検出する場合、前記Ｘ検出電極２ｘには隣接するコモン電極１ｋとコモン電極２ｋの双方から電圧Ｖinが作用するため、前記Ｘ検出電極２ｘに対する合成容量Ｃは、コモン電極１ｋとＸ検出電極２ｘとの間の静電容量Ｃ１と、コモン電極２ｋとＸ検出電極２ｘとの間の静電容量Ｃ２とが並列接続された値（Ｃ＝Ｃ１＋Ｃ２）となる。
【００４３】
よって、前記基準コモン電極ＢＫと第１の検出電極ＸＲおよび第２の検出電極ＸＬとの間の総合的な合成容量Ｃは以下の式（数３）の値となる。
【００４４】
【数３】
2006338488.tif 000005
【００４５】
すなわち、複数の第１の容量調整部２５Ａおよび第２の容量調整部２５Ａ、２５Ｂを形成することにより、基準コモン電極ＢＫと第１の検出電極ＸＲおよび第２の検出電極ＸＬとの間の静電結合を高め、総合的な合成容量Ｃを大きくすることにより、導電体が近接したときの静電容量の変動を大きくすることができる。このため、各Ｘ検出電極およびＹ検出電極から検出される電圧値の変化を確実に捕らえることができ、座標検出手段２０の検出精度を高めることが可能となる。
【００４６】
このように、座標検出手段２０は、座標検出手段２０に導電体が近接したことによる各電極の電圧値の変化によって、座標検出手段２０におけるＸ方向、Ｙ方向の座標位置をあらわすｘ値、ｙ値、および導電体の座標検出手段２０に対する近接方向であるＺ方向の座標位置をあらわすｚ値を検出するようになっている。
【００４７】
また、図６に示すように、携帯電話機１０には、携帯電話機１０の各部を制御する制御手段４０が設けられている。
【００４８】
また、制御手段４０は、所定の範囲内のｚ値を検出して導電体の近接を監視する近接監視部４５、導電体の連続移動を監視する連続移動監視部４６、導電体の連続移動による軌跡の交差を監視する交差監視部４７、前記軌跡に対応する線、および前記軌跡が交差したことにより囲まれた選択枠の内部に対応する画像の拡大した情報を、画面１０Ａにおいて表示する表示部４８を有している。
【００４９】
近接監視部４５は、座標検出手段２０から所定の範囲内のｚ値が検出されたことを入力すると、導電体が近接したと判断し、導電体が近接したことを連続移動監視部４６に入力するようになっている。
【００５０】
連続移動監視部４６は、近接監視部４５により導電体が近接したことを入力すると、座標検出手段２０から所定の範囲内のｚ値が検出される座標位置のｘ値、ｙ値を入力し、導電体の連続移動を監視するようになっている。また、連続移動監視部４６は、前記ｚ値が検出されるｘ値、ｙ値の変化により導電体が連続移動していると判断した場合には、導電体が連続移動している座標位置のｘ値およびｙ値をメモリ４１に記憶させるとともに、導電体が連続移動していることを交差監視部４７および表示部４８に入力するようになっている。
【００５１】
交差監視部４７は、連続移動監視部４６から導電体が連続していることを入力すると、座標検出手段２０から所定の範囲内のｚ値が検出されるｘ値、ｙ値を入力し、導電体の連続移動による軌跡が交差することを監視するようになっている。また、交差監視部４７は、前記ｚ値が検出されるｘ値、ｙ値に基づいて前記軌跡が交差したと判断すると、表示部４８に前記軌跡が交差したことを入力するようになっている。
【００５２】
表示部４８は、交差監視部４７から前記軌跡が交差したことを入力すると、前記選択枠の内部に対応する画面１０Ａの情報を拡大して表示するようになっている。
【００５３】
さらに、表示部４８は、ｚ連続移動監視部４６から導電体が連続移動していることを入力すると、メモリ４１から導電体が連続移動している座標位置を示すｘ値およびｙ値を取り出し、このｘ値およびｙ値に対応した線を画面１０Ａに表示するようになっている。
【００５４】
さらに、制御手段４０には、情報拡大機能をオン・オフする切り換え部４３が設けられており、切り換え部４３は、複数の操作キー１２のうちの１つであるオンキー１２ｎを押圧したときに情報拡大機能がオンされ、また、各操作キー１２のうちの他の１つであるオフキー１２ｆを押圧したときに情報拡大機能がオフされるようになっている。なお、この情報拡大機能のために別のキー１２を割り当ててもよいし、また、新たなキーを設けてもよい。
【００５５】
そして、前記座標検出手段２０は、前記オンキー１２ｎが押圧されて情報拡大機能がオンになると、情報が表示されている携帯電話機１０の画面１０Ａにおいて情報を拡大したいと希望する画面１０Ａ内の特定部位に相当する携帯電話機１０の操作部１１上の特定部位に指等の導電体を近接させることにより、この導電体の位置の座標を検出しうるようになっている。
【００５６】
続いて、携帯電話機１０における画面１０Ａの情報を拡大する方法について、図７および図８を用いて説明する。
【００５７】
図７に示すように、まず、オンキー１２ｎが押圧されると、制御手段４０の近接監視部４５は座標検出手段２０によって所定の範囲内の所定の範囲内のｚ値を監視する（ＳＴ１）。
【００５８】
続いて、図８（ａ）に示すように、導電体を操作部１１に近接させることによって、座標検出手段２０により所定の範囲内のｚ値が検出されたことを近接監視部４５が入力すると（ＳＴ２）、近接監視部４５は、前記ｚ値が検出されたことを連続移動監視部４６に入力し、連続移動監視部４６は、座標検出手段２０から前記ｚ値が検出されるｘ値およびｙ値を入力し、導電体が連続して移動するかを監視する（ＳＴ３）。
【００５９】
次に、図８（ｂ）に示すように、導電体を操作部１１に近接させた状態で移動させると、座標検出手段２０は、所定の範囲内のｚ値が検出される座標位置のｘ値およびｙ値を検出し、連続移動監視部４６は、座標検出手段２０から入力される各ｘ値およびｙ値が座標検出手段２０上において隣位する座標位置である場合には、導電体が平面形状において連続して移動したと判断する（ＳＴ３においてＹｅｓ）。そして、連続移動監視部４６は、導電体が連続移動している位置のｘ値およびｙ値をメモリ４１に記憶させるとともに、導電体が連続移動していることを交差監視部４７および表示部４８に入力する。
【００６０】
そして、表示部４８は、メモリ４１からｚ値が連続移動している位置を示すｘ値およびｙ値を取り出し、このｘ値およびｙ値に対応した線を画面１０Ａに表示する（ＳＴ４）。また、交差監視部４７は、座標検出手段２０から所定の範囲内のｚ値が検出される座標位置のｘ値およびｙ値を入力して、導電体の軌跡が交差するかを監視する（ＳＴ５）。
【００６１】
さらに、図８（ｃ）に示すように、導電体を操作部１１に近接させた状態によって導電体の軌跡を交差させることにより、交差監視部４７は、座標検出手段２０から入力した導電体の軌跡のｘ値およびｙ値の座標位置が重複すると、軌跡が交差したと判断する（ＳＴ５においてＹｅｓ）。
【００６２】
そして、交差監視部４７は、前記軌跡が交差したことを表示部４８に入力し、表示部４８は、図８（ｄ）に示すように、前記枠内に対応する画面１０Ａの情報を所定の倍率によって所定の時間拡大して表示する（ＳＴ６）。この情報の拡大の倍率としては、１２５、１５０、１７５および２００％といった設定が可能であるが、この拡大率には種々の設定が可能である。
【００６３】
そして、表示部４８は、画面１０Ａにおいて所定の時間画面１０Ａの情報を拡大して表示した後、もとの倍率の表示によって画面１０Ａの表示を行い、近接監視部４５は、情報拡大機能がオン状態のときには、継続してｚ値の変化を監視する（ＳＴ１）。
【００６４】
また、交差監視部４７において、所定の時間内に軌跡が交差したことを確認しない場合には（ＳＴ５においてＮｏ）、近接監視部４５は、表示部４８に連続移動した導電体の軌跡が交差しない旨を入力し、表示部４８は、前記軌跡に対応した画面１０Ａの線の表示を解除する（ＳＴ７）。
【００６５】
さらに、連続移動監視部４６は、座標検出手段２０からｚ値の変化を入力して導電体が座標検出手段２０から離間したと判断した場合には（ＳＴ３においてＮｏ）、導電体の連続移動の監視を中止する（ＳＴ８）。一方、前記ｚ値が変化しない場合には、連続移動監視部４６は、継続して導電体の連続移動を監視する。
【００６６】
本実施形態によれば、座標検出手段２０は、操作体１１上における導電体の座標位置のｘ値、ｙ値およびｚ値を検出して制御手段４０に入力することができる。また、座標検出手段２０によって所定の範囲内のｚ値が検出されると、制御手段４０は、導電体の連続移動の監視、この連続移動による軌跡の監視およびこの軌跡の交差の監視を行い、座標検出手段２０上において導電体の軌跡が交差した場合には、軌跡により囲まれた選択枠の内部に対応する画面１０Ａの情報を拡大して表示することができる。
【００６７】
したがって、画面１０Ａに表示されている情報のうち拡大したい部位に対応する座標検出手段２０の上方に導電体としての指をかざし、この指により画面１０Ａの情報における拡大したい部位に対応する部分を囲むという簡単な動作により、希望する部分の画面１０Ａの情報を迅速かつ容易に拡大して表示することができる。
【００６８】
また、導電体が座標検出手段２０上において所定範囲内のｚ値をもって連続して移動していることが検出されると、座標検出手段２０によって検出された導電体の軌跡のｘ値およびｙ値に対応した線を、画面１０Ａに表示するので、画面１０Ａ上において表示することができる。これにより、導電体の移動位置を画面１０Ａにおいて確認しながら、拡大したい範囲に導電体を移動させることができるので、容易に拡大したい範囲を選択することができる。
【００６９】
さらに、携帯電話機１０の制御手段は、画面１０Ａに表示された情報を拡大する機能をオン・オフする切り替え部４３を有するので、オンキー１２ｎまたはオフキー１２ｆを押圧して、切り替え部４３により操作部１１における情報拡大機能のオン・オフを行うことにより、操作部１１に、情報拡大機能および各操作キー１２を押圧して情報を入力する情報入力機能を兼用させることができる。これにより、携帯電話機１の小型化を図ることができる。
【００７０】
なお、本発明は前記実施形態に限定されるものではなく、必要に応じて種々変更することが可能である。
【００７１】
例えば、前述した実施の形態においては、コモン電極Ｋに電圧Ｖinを与え、Ｘ検出電極１ｘ、２ｘ、３ｘ、４ｘ、５ｘ、６ｘ側から検出電圧Ｖoutを検出するようにしたが、本発明はこれに限られるものではなく、Ｘ検出電極１ｘ、２ｘ、３ｘ、４ｘ、５ｘ、６ｘ側に電圧Ｖinを与えてコモン電極Ｋから検出電圧Ｖoutを検出するようにしてもよい。
【００７２】
また、前述した実施の形態においては、座標検出手段２０は、本実施形態の構成のものに限定されず、種々の座標検出手段２０を用いることができる。例えば、基材シート２１の一方の面に形成された電極パターンをコモン電極およびＸ検出電極とし、他方の面に形成された電極パターンをＹ検出電極としたものを説明したが、基材シート２１の一方の面に形成された電極パターンをコモン電極とＹ検出電極とし、他方の面に形成された電極パターンをＸ検出電極として使用するものであってもよい。さらには、前記一方の面に形成された電極パターンをＹ検出電極とし、且つ前記他方の面に形成された電極パターンをＸ検出電極とした構成、すなわちＸ検出電極とＹ検出電極を入れ替えた構成であってもよい。さらにまた、第１の補助電極２３および第２の補助電極２４が設けられていないものであってもよい。
【産業上の利用可能性】
【００７３】
前述した実施形態においては、本発明の表示装置を携帯電話機をもって説明したが、本発明の表示装置は、携帯電話機のみならず、ナビゲーション装置やＰＤＡその他の表示装置に適用できることはいうまでもない。また、拡大される情報は文字情報のみに限られるものではなく、地図のような画像情報、あるいは文字と画像の複合情報であってもよい。
【図面の簡単な説明】
【００７４】
【図１】本発明に係る表示装置の一実施形態を示す平面図
【図２】図１のＩＩ−ＩＩ線における断面図
【図３】本発明に使用される座標検出手段を構成する基材シートに形成された電極パターンを示す平面図
【図４】図３の基材シートにおける基準コモン電極とこれに隣接する２つのＸ検出電極を拡大して示す平面図
【図５】図３の基材シートにおける基準となるコモン電極に設けられたコモン枝電極と隣接するＸ検出電極に設けられた平行電極との関係を拡大して示す平面図
【図６】図１の表示装置の制御手段を示すブロック図
【図７】図１の表示装置において画面の情報を拡大して表示する方法を示すフローチャート
【図８】（ａ）（ｂ）（ｃ）（ｄ）は、図７の情報を拡大して表示する工程を示す平面図
【符号の説明】
【００７５】
１０  携帯電話機
１０Ａ  画面
１１  操作部
１２  操作キー
１２ａ  オンキー
１２ｂ  オフキー
２０  座標検出手段
４０  制御手段
４１  メモリ
４３  切換手段
４５  近接監視部
４６  連続移動監視部
４７  交差点監視部
４８  表示部
【図１】
2006338488.tif 000006
【図２】
2006338488.tif 000007
【図３】
2006338488.tif 000008
【図４】
2006338488.tif 000009
【図５】
2006338488.tif 000010
【図６】
2006338488.tif 000011
【図７】
2006338488.tif 000012
【図８】
2006338488.tif 000013